(57)【要約】【目的】鏡餅形パックの重さを支える詰め物を無くする。【構成】鏡餅用台20は一枚の厚紙により構成され，その上面部21には鏡餅形パック10が入る開口25があけられている。上面部21の対向する第１の２辺から順次折込まれる第１の外側面部22Ｃ，第１の内側面部23Ｃおよび第１の押え部24Ｃがそれぞれ連続して形成され，第１の押え部24Ｃの両端部には突部28が形成され，上面部21の他の２辺から順次折込まれる第２の外側面部22Ａ，22Ｂ，第２の内側面部23Ａ，23Ｂおよび第２の押え部24Ａ，24Ｂがそれぞれ連続して形成され，第２の内側面部23Ａ，23Ｂには切込み29が形成されている。第１および第２の押え部24Ａ，24Ｂ，24Ｃが上面部21の内面に沿うように折込まれ，突部28が切込み29に入ることにより，これらの押え部は強く結合する。鏡餅形パック10の下部突縁13は上面部21とこれらの押え部との間に挟まれて支持される。【選択図】図２
2011046397.tif 000002
【特許請求の範囲】
【請求項１】
下部突縁を有する鏡餅形パックと，この鏡餅形パックを支持する鏡餅用台とを含み，
上記鏡餅用台は厚紙を折ることにより形成され，
上記厚紙は，少なくとも１つの開口があけられた方形の上面部を有し，
この上面部の対向する第１の２辺から順次折込まれる第１の外側面部，第１の内側面部および第１の押え部がそれぞれ連続して形成され，この第１の押え部の両端部には突部が形成され，
上記上面部の上記第１の２辺とは隣接する第２の対向する２辺から順次折込まれる第２の外側面部，第２の内側面部および第２の押え部がそれぞれ連続して形成され，上記第２の内側面部の上記第２の押え部との境界付近には切込みが形成され，
上記第１および第２の押え部が上記上面部の内面に沿うように折込まれ，上記突部が上記切込みに入り，
上記鏡餅形パックはその大部分が鏡餅用台の上面部外方に突出し，上記鏡餅形パックの下部突縁が上記上面部と折込まれた上記第１および第２の押え部との間に挟み込まれている，
鏡餅セット。
【請求項２】
厚紙を折ることにより形成される鏡餅用台であり，
上記厚紙は，少なくとも１つの開口があけられた方形の上面部を有し，
この上面部の対向する第１の２辺から順次折込まれる第１の外側面部，第１の内側面部および第１の押え部がそれぞれ連続して形成され，この第１の押え部の両端部には突部が形成され，
上記上面部の上記第１の２辺とは隣接する第２の対向する２辺から順次折込まれる第２の外側面部，第２の内側面部および第２の押え部がそれぞれ連続して形成され，上記第２の内側面部の上記第２の押え部との境界付近には切込みが形成され，
上記第１および第２の押え部が上記上面部の内面に沿うように折込まれ，上記突部が上記切込みに入っている，
鏡餅用台。
【発明の詳細な説明】
【技術分野】
【０００１】
この発明は，鏡餅セットおよび鏡餅用台に関する。
【背景技術】
【０００２】
鏡餅セットは，餅を充填した合成樹脂製鏡餅形パックを鏡餅用台に支持して装飾性を高めたものである。背後に屏風を配置することもある。
【０００３】
鏡餅用台は一般に厚紙を切り抜いて折ることにより形成されることが多い。厚紙でつくった鏡餅用台上に重い鏡餅形パックを載せると，台の中央部がへこんで鏡餅形パックが沈んでしまうので，これを防ぐために鏡餅用台の内部に，鏡餅形パックを支える詰め物を入れる。
【先行技術文献】
【特許文献】
【０００４】
【特許文献１】特開２００５−５８５８９号公報
【発明の開示】
【０００５】
この発明は詰め物が不要な鏡餅用台およびこの鏡餅用台を用いた鏡餅セットを提供することを目的とする。
【０００６】
この発明による鏡餅セットは，下部突縁を有する鏡餅形パックと，この鏡餅形パックを支持する鏡餅用台とを含む。上記鏡餅用台は厚紙を折ることにより形成される。上記厚紙は，少なくとも１つの開口があけられた方形の上面部を有する。この上面部の対向する第１の２辺から順次折込まれる第１の外側面部，第１の内側面部および第１の押え部がそれぞれ連続して形成され，この第１の押え部の両端部には突部が形成される。上記上面部の他の２辺から順次折込まれる第２の外側面部，第２の内側面部および第２の押え部がそれぞれ連続して形成され，上記第２の内側面部の上記第２の押え部との境界付近には切込みが形成される。上記第１および第２の押え部が上記上面部の内面に沿うように折込まれ，上記突部が上記切込みに入る。鏡餅形パックはその大部分が鏡餅用台の上面部外方に突出し，鏡餅形パックの下部突縁が上記上面部と折込まれた上記第１および第２の押え部との間に挟み込まれる。
【０００７】
この構造により，４つの第１および第２の押え部は上記突部が切込みに係止することにより強く結合し，鏡餅形パックの重量を支える。したがって，鏡餅用台に鏡餅形パックの重さを支える詰め物を設けなくても済むようになる。
【０００８】
この発明はまた，上記の鏡餅用台も提供している。この鏡餅用台は，厚紙を折ることにより形成される。厚紙は，少なくとも１つの開口があけられた方形の上面部を有する。上記上面部の対向する第１の２辺から順次折込まれる第１の外側面部，第１の内側面部および第１の押え部がそれぞれ連続して形成され，この第１の押え部の両端部には突部が形成される。上記上面部の他の２辺から順次折込まれる第２の外側面部，第２の内側面部および第２の押え部がそれぞれ連続して形成され，上記第２の内側面部の上記第２の押え部との境界付近には切込みが形成される。上記第１および第２の押え部が上記上面部の内面に沿うように折込まれ，上記突部が上記切込みに入っている構造である。
【０００９】
この鏡餅用台を用いると，鏡餅形パックを支えるために，鏡餅用台の内部に詰め物が不要となる。
【００１０】
厚紙とは植物性繊維を材料とするもののみならず，合成繊維を材料の一部または全部とするもの，表面に合成樹脂膜をコーティング等したもの，合成樹脂による厚手のシート等を含むものである。
【図面の簡単な説明】
【００１１】
【図１】店頭に配置される形態の屏風セットとケースに収められ，かつ水引で飾られた鏡餅セットを示す斜視図である。
【図２】図１のII−II線にそう拡大断面図であり，屏風とケースと水引とを除いて示す。
【図３】鏡餅用台の展開図である。
【図４】折込み途中の鏡餅用台と鏡餅形パックとを示す斜視図である。
【図５】鏡餅セットを組立てる様を示す斜視図である。
【図６】鏡餅セットを組立てる様を示す斜視図である。
【図７】鏡餅セットを組立てる様を示す斜視図である。
【図８】鏡餅セットを組立てる様を示す斜視図である。
【図９】鏡餅用台の押え部の突部を切込みに入れて結合させる様子を示す斜視図である。
【図１０】変形例を示し，鏡餅用台の展開図である。
【図１１】変形例の鏡餅セットを示す斜視図である。
【図１２】変形例の鏡餅セットを示す斜視図であり，屏風セットとケース内に入れられた様子を示す。
【実施例】
【００１２】
図１は鏡餅セットの全体を示すものである。
【００１３】
鏡餅セットは，鏡餅形パック10とこの鏡餅形パック10を支持する鏡餅用台20とを含む。この実施例では，鏡餅形パック10には飾りとして水引14が付けられている。すなわち，水引14は，鏡餅形パック10の大小２個の餅形間のくびれに掛けられる輪ゴム14ａによって取付けられている。さらにこの実施例では，鏡餅形パック10を支持する鏡餅用台20は，背面の屏風と両側面の三角形状の屏風とを有する屏風セット30内に収められている。さらにこれらの全体が透明のケース（箱またはカートン）（鎖線で示す）40内に収納されて店頭に陳列される。屏風セット30や鏡餅用台20の表面には，適切な絵，図柄，文字等が描かれ，色彩が施される。
【００１４】
図２は，屏風セットとケースとを除いて，鏡餅形パックおよび鏡餅用台の図１，II−II線に沿う拡大断面図であり，図４〜図９は鏡餅用台および鏡餅形パックの組立ての様子を示す斜視図である。これらの図を参照して，鏡餅形パックおよび鏡餅用台の構造を詳しく説明する。
【００１５】
鏡餅形パック10は白色，白濁色または乳白色の合成樹脂により一体的に形成され，鏡餅の形状をもつ中空の鏡餅形部11と，この鏡餅形部11の下縁から外方に突出する下部突縁（フランジ）13とを有する。下部突縁13は図示の例では円形であるが，鎖線13Ａで示すように，鏡餅用台20内に丁度収まる大きさの方形（矩形）でもよく，その他の形状でもよい。鏡餅形部11内にはその下面開口から軟化状態にある餅が充填され硬化されるとともに下面開口がシート状シール材によりシールされる。シール材は下部突縁の下面に溶着または接着される。鏡餅形部11内に，硬化した円盤状，さいころ状，方形板状，その他の形状の複数個の餅を入れてもよい。
【００１６】
鏡餅用台20は，平面からみて，前後方向に長い長方形のやや高さの低い箱形であり，次のように一枚の厚紙により形成される。鏡餅用台20の上面部21には，鏡餅形パック10の鏡餅形部11の最下部がゆるく入る程度の円形の開口25があけられている。鏡餅用台20の構成を図３を参照してさらに詳しく説明する。
【００１７】
図３は鏡餅用台20を形成する厚紙（型紙）の展開図である。この図３において，厚紙を折って鏡餅用台20をつくるときに谷折りになる折り線を細い長目の破線で，山折りとなる折り線を細い一点鎖線で示す。
【００１８】
特に図３を参照して，鏡餅用台20を形成するための厚紙は，上面部21になる部分（開口25があけられる）を中心にその前後（図３で上下），左右に次に述べる各部が一体的に設けられる。この型取りは破棄する部分が少ない効率的な設計である。
【００１９】
前後にのびる部分について述べると，前後の外側面部（前面部および後面部）（第２の外側面部）22Ａ，22Ｂとなる部分，これらの部分22Ａ，22Ｂから内側に折り返されて内側面部（第２の内側面部）となる部分23Ａ，23Ｂ，さらに上面部21の内側に沿うように直角に折り曲げられる押え部（第２の押え部）24Ａ，24Ｂが，上面部21からそれぞれ順次連なっている。
【００２０】
上面部21から左右にのびる部分についても同じように，左右の外側面部（第１の外側面部）となる部分22Ｃ，これらの部分22Ｃから内側に折り返されて内側面部（第１の内側面部）となる部分23Ｃ，さらに上面部21の内側に沿うように直角に折り曲げられる押え部（第１の押え部）24Ｃが，上面部21からそれぞれ順次連続的に形成されている。内側面部23Ｃの両端からは差込部27が外方に延びている。
【００２１】
外側面部22Ａと22Ｃとの間および外側面部22Ｂと22Ｃとの間には扇形のコーナー折込部46が設けられ，隣接する外側面部22Ａと22Ｃ，22Ｂと22Ｃとをつないでいる。
【００２２】
押え部24Ｃの両端部の最も外方の位置には突部28が形成されている。この突部28の突出量は厚紙の厚さより少し大きい程度がよい。後述するように押え部24Ａ，24Ｂ，24Ｃが上面部21の内面に沿うように折り込まれたときに，突部28が丁度当る位置において，前後の内側面部23Ａ，23Ｂには，押え部24Ａ，24Ｂとの境界付近に切込み29が形成されている。切込み29は押え部24Ａ，24Ｂの方にも半円状に広がり，突部28の切込み29への嵌込みを容易にしている。
【００２３】
上記のように型取り（型抜き）された厚紙を次のようにして折込む。すなわち，まず，外側面部22Ａ，22Ｂ，22Ｃを上面部21に対して内側に直角に折り，かつコーナー折込部26を折り曲げて外側面部22Ａ，22Ｂまたは22Ｃの内側に折込む。次に内側面部23Ａ，23Ｂ，23Ｃと押え部24Ａ，24Ｂ，24Ｃとの境界を山折りにして押え部24Ａ，24Ｂ，24Ｃをそれぞれ内側面部23Ａ，23Ｂ，23Ｃに沿わせておいて，内側面部23Ａ，23Ｂ，23Ｃを外側面部22Ａ，22Ｂ，22Ｃに沿うように内側にそれぞれ折り曲げる。このとき，内側面部23Ｃを先に折り曲げてその差込部27を直角に折り，外側面部22Ａ，22Ｂの内側に沿わせてから，内側面部23Ａ，23Ｂを折り曲げる。この半完成品状態が図４，図５に示されている。
【００２４】
次に鏡餅セットの組立に移る。
【００２５】
図５に示すように，鏡餅形パック10をその頭を先にして，上記半完成品の鏡餅用台20の内側から開口25に入れ，その下部突縁13を下面部21の内面に沿わせる。これが図６に示す状態である。
【００２６】
続いて，図７に示すように，前後の押え部24Ａ，24Ｂを下部突縁13に被せるように折り曲げて，下部突縁13を含む鏡餅形パック10の底面を押さえる。
【００２７】
最後に，図８に示すように，左右の押え部24Ｃを内側に折り曲げて鏡餅形パック10の底面および押え部24Ａ，24Ｂをその上から押える。このとき，押え部24Ｃの両端に形成された突部28が前後の内側面部23Ａ，23Ｃの切込み29に嵌り込み（係止ないしは係合し），固定される。この様子が，別の角度からみた斜視図として図９に示されている。
【００２８】
以上のようにして，鏡餅形パック10はその下部突縁13が，鏡餅用台20の上面部21と押え部24Ａ，24Ｂ，24Ｃとの間に挟まれ，かつ鏡餅形パック10の全体の重さが，突部28と切込み29とが係合することにより強く結合した押え部24Ａ，24Ｂ，24Ｃによって支持される（図２も参照）。したがって，鏡餅用台20内部に鏡餅形パック10を支持するための詰め物を入れる必要はない。
【００２９】
上記実施例では鏡餅用台の組立てに接着剤等は用いていないが，必要ならば接着剤を用いて各部を接着してもよい。
【００３０】
また，上記実施例では鏡餅用台は平面からみて長方形であるが，正方形，または左右に長い長方形としてもよい。
【００３１】
図10から図12は変形例を示すもので，左右に長い長方形（直方体）の鏡餅用台を示している。この変形例では，鏡餅用台には２つの開口25があけられ，大小２つの２個の鏡餅形パック10が左右に並べて配置される。他の構成は上記実施例と同じであるから，同一物には同一符号を付し重複説明を避ける。
【符号の説明】
【００３２】
10  鏡餅形パック
13  下部突縁
20  鏡餅用台
21  上面部
22Ａ，22Ｂ  外側面部（第２の外側面部）
22Ｃ  外側面部（第１の外側面部）
23Ａ，23Ｂ  内側面部（第２の内側面部）
23Ｃ  内側面部（第１の内側面部）
24Ａ，24Ｂ  押え部（第２の押え部）
24Ｃ  押え部（第１の押え部）
25  開口
28  突部
29  切込み
【図１】
2011046397.tif 000003
【図２】
2011046397.tif 000004
【図３】
2011046397.tif 000005
【図４】
2011046397.tif 000006
【図５】
2011046397.tif 000007
【図６】
2011046397.tif 000008
【図７】
2011046397.tif 000009
【図８】
2011046397.tif 000010
【図９】
2011046397.tif 000011
【図１０】
2011046397.tif 000012
【図１１】
2011046397.tif 000013
【図１２】
2011046397.tif 000014